(57)【要約】【課題】本発明は、拘束デバイスが、拘束の際に過度な締めつけを避けることを可能にする技術を提供することを目的としている。【解決手段】本発明は、間の距離を調整できる一対の腕輪を含む拘束デバイスであって、腕輪の少なくとも一方が、拘束の間に二重に係合でき、かつ、拘束の間以外は二重に係合解除される、拘束デバイスである。さらに、本発明は、拘束デバイスを、「チェーンスタイル」から「ヒンジスタイル」へ、及びその逆に、変換することを可能にするスリーブを開示している。さらに、本開示は、第１のアーム及び第２のアームを含む拘束デバイスであって、拘束の際に過度な締めつけを避けるために、第２のアームが、第１のアームに対して弾性的に結合される、拘束デバイスである。【選択図】図１
2020118021.tif 000002
【特許請求の範囲】
【請求項１】
拘束デバイスであって、
ハウジングと、
前記ハウジングに旋回可能に結合されたアームであって、前記アームが、歯の第１のセットを含む、前記アームと、
前記ハウジング内に旋回可能に収容された第１のバーであって、前記第１のバーが、歯の第２のセット及び凸部を含む、前記第１のバーと、
前記ハウジング内に収容された第２のバーであって、それにより、前記第２のバーが、第１の位置と第２の位置との間で移動するようになっており、前記第２のバーが、前記第２のバーが前記第１の位置にある際に、前記凸部を囲み、それにより、前記歯の第２のセットが前記歯の第１のセットと係合解除されるように構成された凹部を含み、前記凹部が、前記第２のバーが前記第２の位置にある際に前記凸部を囲まないように構成されており、それにより、前記歯の第２のセットが前記歯の第１のセットと係合するようになっている、前記第２のバーと、
前記ハウジング内に収容された第１のバネであって、前記第１のバネが、前記第１のバー及び前記第２のバーと係合する、前記第１のバネと、
前記ハウジング内に収容されたリールであって、前記リールが、歯の第３のセットを含んでいる、前記リールと、
前記ハウジング内に収容された第２のバネと、
前記ハウジング内に収容されたピボットであって、それにより、前記ピボットが、第３の位置と第４の位置との間で回転するようになっており、前記ピボットが、第１の延長部、第２の延長部、及び第３の延長部を保持しており、前記第１の延長部が、前記ピボットが前記第３の位置にある場合に、前記歯の第２のセットが前記歯の第１のセットと係合し、前記第２の延長部が前記歯の第３のセットの少なくとも１つの歯と係合することから、前記歯の第１のセットの少なくとも１つの歯と係合し、前記第１の延長部が、前記ピボットが前記第４の位置にある場合に、前記歯の第２のセットが前記歯の第１のセットとの係合を回避し、前記第２の延長部が前記歯の第３のセットとの係合を回避することから、前記歯の第１のセットとの係合を回避し、前記第２のバネが、前記第３の延長部と係合する、前記ピボットと、を備えている、拘束デバイス。
【請求項２】
前記リールに結合されたケーブルと、
前記ケーブルに結合された腕輪と、をさらに備えている、請求項１に記載の拘束デバイス。
【請求項３】
前記第１のバネがＶ形状ではない、請求項１に記載の拘束デバイス。
【請求項４】
前記第１のバネが、前記ハウジング内に収容されたシャフト周りに延びる、請求項３に記載の拘束デバイス。
【請求項５】
前記第２のバネが前記ハウジングと係合する、請求項１に記載の拘束デバイス。
【請求項６】
前記リールが、前記歯の第１のセットが前記歯の第２のセット及び前記第１の延長部との係合を避ける場合に、自在に回転するように構成されている、請求項１に記載の拘束デバイス。
【請求項７】
前記リールが定荷重バネを保持している、請求項１に記載の拘束デバイス。
【請求項８】
前記第２のバネが、Ｖ形状またはＵ形状の少なくとも一方である、請求項１に記載の拘束デバイス。
【請求項９】
前記ピボット、前記第１の延長部、前記第２の延長部、及び前記第３の延長部が、一体成形されている、請求項１に記載のデバイス。
【請求項１０】
前記第１の延長部と前記第２の延長部とが、間が約９０度以下の角度になっている、請求項１に記載のデバイス。
【請求項１１】
前記第１の延長部と前記第３の延長部とが、間が約１８０度以下の角度になっている、請求項１に記載の拘束デバイス。
【請求項１２】
前記第２の延長部と前記第３の延長部とが、間が約１８０度以下の角度になっている、請求項１に記載の拘束デバイス。
【請求項１３】
前記第１の延長部と前記第２の延長部とが、間が約９０度以下の角度になっており、前記第１の延長部と前記第３の延長部とが、間が約１８０度以下の角度になっており、前記第２の延長部と前記第３の延長部とが、間が約１８０度以下の角度になっている、請求項１に記載の拘束デバイス。
【請求項１４】
前記ピボットが前記第３の位置にある場合に、前記第２の延長部が、前記歯の第３のセットの少なくとも２つの歯と係合する、請求項１に記載の拘束デバイス。
【請求項１５】
前記第１の延長部が、前記第１のバー及び前記第２のバーに沿って、前記リールから離れるように延びている、請求項１に記載の拘束デバイス。
【請求項１６】
前記ハウジングが一対の側部を含んでおり、前記第１のバー、前記第２のバー、及び前記第１の延長部が、前記一対の側部間に配置されており、前記第１の延長部が、前記第１のバーと、前記一対の側部の一方の側部との間に延びている、請求項１に記載の拘束デバイス。
【請求項１７】
前記ハウジングが一対の側部を含んでおり、前記第１のバー、前記第２のバー、及び前記第１の延長部が、前記一対の側部間に配置されており、前記第１の延長部が、前記第２のバーと、前記一対の側部の一方の側部との間に延びている、請求項１に記載の拘束デバイス。
【請求項１８】
前記ハウジングが一対の側部を含んでおり、前記第１のバー、前記第２のバー、及び前記第１の延長部が、前記一対の側部間に配置されており、前記第１の延長部が、前記第１のバーと、前記一対の側部の一方との間に延びており、前記第１の延長部が、前記第２のバーと、前記一対の側部の一方の側部との間に延びている、請求項１に記載の拘束デバイス。
【請求項１９】
前記ハウジング内に収容された第３のバネであって、前記第３のバネが、前記第２の延長部と係合する、前記第３のバネ、をさらに備えている、請求項１に記載の拘束デバイス。
【請求項２０】
前記ピボットが、前記第２のバネと前記第３のバネとの間で回転する、請求項１９に記載の拘束デバイス。
【請求項２１】
前記ハウジング上に、前記リールを覆って取り付けられたスリーブをさらに備えている、請求項１に記載の拘束デバイス。
【請求項２２】
前記スリーブが、砂時計形状である、請求項２１に記載の拘束デバイス。
【請求項２３】
前記スリーブが、取外し可能に取り付けられている、請求項２１に記載の拘束デバイス。
【請求項２４】
前記スリーブが可撓性を有している、請求項２１に記載のデバイス。
【請求項２５】
前記リールに結合されたケーブルであって、前記ハウジングが、砂時計形状であり、前記ハウジングが、選択的に前記ハウジングから外に出る前記ケーブルを収容するように構成されている、前記ケーブルをさらに備えている、請求項１に記載のデバイス。
【請求項２６】
前記ハウジングが可撓性を有している、請求項２５に記載のデバイス。
【請求項２７】
前記ハウジングが、選択的に前記ハウジングの外に出る前記ケーブルを収容するオープンエンドを含み、前記オープンエンドの大部分が開いている、請求項２５に記載のデバイス。
【請求項２８】
前記ハウジングが、選択的に前記ハウジングの外に出る前記ケーブルを収容するオープンエンドを含み、前記オープンエンドの大部分が閉じている、請求項２５に記載のデバイス。
【請求項２９】
前記アームが第１のアームであり、
前記第１のアームに旋回可能かつ弾性的に結合された第２のアームであって、前記第２のアームが、歯の第４のセットを含み、前記歯の第１のセットと前記歯の第４のセットとが、逆向きに噛合するために配置されている、前記第２のアームをさらに備えている、請求項１に記載のデバイス。
【請求項３０】
前記第１のバーが、前記歯の第４のセットと噛合するように構成された歯の第５のセットを含んでいる、請求項２９に記載のデバイス。
【請求項３１】
前記歯の第１のセットが、前記歯の第４のセットのすぐ隣で、長手方向に延びている、請求項２９に記載のデバイス。
【請求項３２】
前記歯の第１のセットが、２つの列で延びており、前記歯の第４のセットが、前記２つの列の間に介在している、請求項２９に記載のデバイス。
【請求項３３】
前記歯の第１のセットが、２つの列で延びており、前記歯の第４のセットが、前記２つの列の間に位置している、請求項３１に記載のデバイス。
【請求項３４】
拘束デバイスであって、
第１のハウジング及びリールを含む第１の腕輪であって、前記リールがケーブルを保持している、前記第１の腕輪と、
第２のハウジングを含む第２の腕輪であって、前記ケーブルが、前記第２のハウジングに結合されている、前記第２の腕輪と、
前記第１のハウジング及び前記第２のハウジング上に取り付けられたスリーブであって、それにより、前記ケーブルが、前記スリーブを通って延びるようになっている、前記スリーブと、を備えている、前記拘束デバイス。
【請求項３５】
前記スリーブが、砂時計形状である、請求項３４に記載の拘束デバイス。
【請求項３６】
前記スリーブが可撓性を有している、請求項３４に記載の拘束デバイス。
【請求項３７】
前記スリーブがゴムを含んでいる、請求項３４に記載の拘束デバイス。
【請求項３８】
前記リールが歯の第３のセットを含み、前記第１の腕輪が、
前記第１のハウジングに旋回可能に結合されたアームであって、前記アームが、歯の第１のセットを含む、前記アームと、
前記第１のハウジング内に旋回可能に収容された第１のバーであって、前記第１のバーが、歯の第２のセット及び凸部を含む、前記第１のバーと、
前記第１のハウジング内に収容された第２のバーであって、それにより、前記第２のバーが、第１の位置と第２の位置との間で移動するようになっており、前記第２のバーが、前記第２のバーが前記第１の位置にある際に、前記凸部を囲み、それにより、前記歯の第２のセットが前記歯の第１のセットと係合解除されるように構成された凹部を含み、前記凹部が、前記第２のバーが前記第２の位置にある際に前記凸部を囲まないように構成されており、それにより、前記歯の第２のセットが前記歯の第１のセットと係合するようになっている、前記第２のバーと、
前記第１のハウジング内に収容された第１のバネであって、前記第１のバネが、前記第１のバー及び前記第２のバーと係合する、前記第１のバネと、
前記第１のハウジング内に収容された第２のバネであって、前記リールが、歯の第３のセットを含んでいる、前記第２のバネと、
前記第１のハウジング内に収容されたピボットであって、それにより、前記ピボットが、第３の位置と第４の位置との間で回転するようになっており、前記ピボットが、第１の延長部、第２の延長部、及び第３の延長部を保持しており、前記第１の延長部が、前記ピボットが前記第３の位置にある場合に、前記歯の第２のセットが前記歯の第１のセットと係合し、前記第２の延長部が前記歯の第３のセットの少なくとも１つの歯と係合することから、前記歯の第１のセットの少なくとも１つの歯と係合し、前記第１の延長部が、前記ピボットが前記第４の位置にある場合に、前記歯の第２のセットが前記歯の第１のセットとの係合を回避し、前記第２の延長部が前記歯の第３のセットとの係合を回避することから、前記歯の第１のセットとの係合を回避し、前記第２のバネが、前記第３の延長部と係合する、前記ピボットと、を含む、請求項３４に記載の拘束デバイス。
【請求項３９】
前記第１のハウジングまたは前記第２のハウジングの少なくとも一方に収容されたバーであって、前記バーが、歯の第１のセット及び歯の第２のセットを保持しており、前記歯の第１のセットと前記歯の第２のセットとが、反対方向に噛合するように構成されている、前記バーと、
前記第１のハウジングまたは前記第２のハウジングの少なくとも一方に旋回可能に結合された第１のアームであって、前記第１のアームが、歯の第３のセットを保持しており、前記歯の第１のセットが、前記歯の第３のセットと噛合するように構成されている、前記第１のアームと、
前記第１のアーム内に保持され、前記第１のアームと係合するバネと、
前記第１のアームに旋回可能に結合され、前記バネと係合する第２のアームであって、前記第２のアームが歯の第４のセットを保持しており、前記歯の第４のセットが、前記バネが圧縮されている場合に、前記歯の第２のセットと噛合するように構成されており、前記歯の第４のセットが、前記バネが圧縮されていない場合に、前記歯の第２のセットとの噛合を避けるように構成されている、前記第２のアームと、をさらに備えている、請求項３４に記載のデバイス。
【請求項４０】
前記第２のアームが弧状である、請求項３９に記載の拘束デバイス。
【請求項４１】
前記歯の第３のセットが、前記歯の第４のセットのすぐ隣で、長手方向に延びている、請求項３９に記載の拘束デバイス。
【請求項４２】
前記歯の第３のセットが、２つの列で長手方向に延びており、前記歯の第４のセットが、前記２つの列の間に位置している、請求項３９に記載の拘束デバイス。
【請求項４３】
前記歯の第１のセットが、２つの列で長手方向に延びている、請求項３９に記載の拘束デバイス。
【請求項４４】
前記歯の第２のセットが、前記２つの列の間に位置している、請求項４３に記載の拘束デバイス。
【請求項４５】
拘束デバイスであって、
ハウジングと、
前記ハウジング内に収容されたバーであって、前記バーが、歯の第１のセット及び歯の第２のセットを保持しており、前記歯の第１のセットと前記歯の第２のセットとが、反対方向に噛合するように構成されている、前記バーと、
前記ハウジングに旋回可能に結合された第１のアームであって、前記第１のアームが、歯の第３のセットを保持しており、前記歯の第１のセットが、前記歯の第３のセットと噛合するように構成されている、前記第１のアームと、
前記第１のアーム内に保持され、前記第１のアームと係合するバネと、
前記第１のアームに旋回可能に結合され、前記バネと係合する第２のアームであって、前記第２のアームが歯の第４のセットを保持しており、前記歯の第４のセットが、前記バネが圧縮されている場合に、前記歯の第２のセットと噛合するように構成されており、前記歯の第４のセットが、前記バネが圧縮されていない場合に、前記歯の第２のセットとの噛合を避けるように構成されている、前記第２のアームと、を備えている、前記拘束デバイス。
【請求項４６】
前記第２のアームが弧状である、請求項４５に記載の拘束デバイス。
【請求項４７】
前記歯の第３のセットが、前記歯の第４のセットのすぐ隣で、長手方向に延びている、請求項４５に記載の拘束デバイス。
【請求項４８】
前記歯の第３のセットが、２つの列で長手方向に延びており、前記歯の第４のセットが、前記２つの列の間に位置している、請求項４５に記載の拘束デバイス。
【請求項４９】
前記歯の第１のセットが、２つの列で長手方向に延びている、請求項４５に記載の拘束デバイス。
【請求項５０】
前記歯の第２のセットが、前記２つの列の間に位置している、請求項４９に記載の拘束デバイス。
【請求項５１】
前記ハウジングに取り付けられたスリーブをさらに備えている、請求項４５に記載の拘束デバイス。
【請求項５２】
前記スリーブが、砂時計形状である、請求項５１に記載の拘束デバイス。
【請求項５３】
前記スリーブが可撓性を有している、請求項５１に記載のデバイス。
【請求項５４】
前記ハウジングが砂時計形状である、請求項４５に記載のデバイス。
【請求項５５】
前記バネが第１のバネであり、
前記ハウジング内に収容されたリールであって、前記リールがケーブルを保持しており、前記リールが、歯の第５のセットを保持している、前記リールと、
前記ハウジング内に収容され、前記バーと係合している第２のバネと、
前記ハウジング内の第３のバネと、
前記ハウジング内に収容されたピボットであって、それにより、前記ピボットが、第１の位置と第２の位置との間で回転するようになっており、前記ピボットが、第１の延長部、第２の延長部、及び第３の延長部を保持している、前記ピボットと、をさらに備え、
前記第１の延長部が、前記ピボットが前記第１の位置にある場合に、前記歯の第１のセットが前記歯の第３のセットと係合し、前記第２の延長部が前記歯の第５のセットの少なくとも１つの歯と係合することから、前記歯の第３のセットの少なくとも１つの歯と係合し、前記第１の延長部が、前記ピボットが前記第２の位置にある場合に、前記歯の第１のセットが前記歯の第３のセットとの係合を回避し、前記第２の延長部が前記歯の第５のセットとの係合を回避することから、前記歯の第３のセットとの係合を回避し、前記第３のバネが、前記第３の延長部と係合する、請求項４５に記載のデバイス。
【発明の詳細な説明】
【技術分野】
【０００１】
〔関連出願との相互参照〕
本出願は、２０１７年１２月１１日に出願された米国仮出願第６２／５９７，１５３号、及び、２０１７年５月１７日に出願された米国仮出願第６２／５０７，３３１号の利益を主張する。これら文献の各々は、すべての目的に関し、参照することにより、本明細書に組み込まれる。
【０００２】
本開示は、拘束デバイスに関する。
【背景技術】
【０００３】
間の距離を調整できる一対の腕輪を含むが、腕輪の少なくとも一方が、拘束の間に二重に係合でき、かつ、拘束の間以外は二重に係合解除できる、拘束デバイスを可能にする技術に関する要請が存在する。さらに、拘束デバイスを、「チェーンスタイル」から「ヒンジスタイル」へ、及びその逆に、変換することを可能にする技術に関する要請が存在する。さらに、拘束デバイスが、拘束の際に過度な締めつけを避けることを可能にする技術に関する要請が存在する。しかし、そのような技術は存在しない。したがって、本開示は、そのような技術を可能にする。
【発明の概要】
【０００４】
一実施形態では、拘束デバイスは、ハウジングと、ハウジングに旋回可能に結合されたアームであって、アームが、歯の第１のセットを含む、アームと、ハウジング内に旋回可能に収容された第１のバーであって、第１のバーが、歯の第２のセット及び凸部を含む、第１のバーと、ハウジング内に収容された第２のバーであって、それにより、第２のバーが、第１の位置と第２の位置との間で移動するようになっており、第２のバーが、第２のバーが第１の位置にある際に、凸部を囲み、それにより、歯の第２のセットが歯の第１のセットと係合解除されるようになるように構成された凹部を含み、凹部が、第２のバーが第２の位置にある際に、凸部を囲まないように構成されており、それにより、歯の第２のセットが歯の第１のセットと係合するようになっている、第２のバーと、ハウジング内に収容された第１のバネであって、第１のバネが、第１のバー及び第２のバーと係合する、第１のバネと、ハウジング内に収容されたリールであって、リールが、歯の第３のセットを含んでいる、リールと、ハウジング内に収容された第２のバネと、ハウジング内に収容されたピボットであって、それにより、ピボットが、第３の位置と第４の位置との間で回転するようになっており、ピボットが、第１の延長部、第２の延長部、及び第３の延長部を保持しており、第１の延長部が、ピボットが第３の位置にある場合に、歯の第２のセットが歯の第１のセットと係合し、第２の延長部が歯の第３のセットの少なくとも１つと係合することから、歯の第１のセットの少なくとも１つの歯と係合し、第１の延長部が、ピボットが第４の位置にある場合に、歯の第２のセットが歯の第１のセットとの係合を回避し、第２の延長部が歯の第３のセットとの係合を回避することから、歯の第１のセットとの係合を回避し、第２のバネが、第３の延長部と係合する、ピボットと、を備えている。
【０００５】
一実施形態では、拘束デバイスは、第１のハウジング及びリールを含む第１の腕輪であって、リールがケーブルを保持している、第１の腕輪と、第２のハウジングを含む第２の腕輪であって、ケーブルが、第２のハウジングに結合されている、第２の腕輪と、第１のハウジング及び第２のハウジング上に取り付けられたスリーブであって、それにより、ケーブルが、スリーブを通って延びるようになっている、スリーブと、を備えている。
【０００６】
一実施形態では、拘束デバイスは、ハウジングと、ハウジングに旋回可能に収容されたバーであって、バーが、歯の第１のセット及び歯の第２のセットを保持しており、歯の第１のセットと歯の第２のセットとが、反対方向に噛合するように構成されている、バーと、ハウジングに旋回可能に結合された第１のアームであって、第１のアームが、歯の第３のセットを保持しており、歯の第１のセットが、歯の第３のセットと噛合するように構成されている、第１のアームと、第１のアーム内に保持され、第１のアームと係合するバネと、第１のアームに旋回可能に結合され、バネと係合する第２のアームであって、第２のアームが歯の第４のセットを保持しており、歯の第４のセットが、バネが圧縮されている場合に、歯の第２のセットと噛合するように構成されており、歯の第４のセットが、バネが圧縮されていない場合に、歯の第２のセットとの噛合を避けるように構成されている、第２のアームと、を備えている。
【図面の簡単な説明】
【０００７】
【図１】本開示に係る拘束デバイスの実施形態の斜視図である。
【図２】本開示に係る、カバープレートが取り外されたハウジングの実施形態の側面図である。
【図３】本開示に係る、カバープレートが取り外されたハウジングの実施形態の斜視図である。
【図４】本開示に係る、カバープレートが取り外され、セーフティロックが係合解除されている、ハウジングの実施形態の側面図である。
【図５】本開示に係る、カバープレートが取り外され、セーフティロックが係合している、ハウジングの実施形態の側面図である。
【図６】本開示に係る、カバープレートが取り外され、ピボットがアーム及びスプールと係合している、ハウジングの実施形態の側面図である。
【図７】本開示に係る、カバープレートが取り外され、ピボットがアーム及びスプールと係合していない、ハウジングの実施形態の側面図である。
【図８】本開示に係る、カバープレートが取り外されたハウジングと、スプールの一対の回転方向との実施形態の側面図である。
【図９】本開示に係る、カバープレートが取り外され、セーフティロックが係合解除されている、ハウジングの実施形態の側面図である。
【図１０】本開示に係る、カバープレートが取り外され、セーフティロックが係合している、ハウジングの実施形態の側面図である。
【図１１】本開示に係る、カバープレートが取り外され、第１のバーの凸部が第２のバーの凹部を介して囲まれている、ハウジングの実施形態の側面図である。
【図１２】本開示に係る、一対の腕輪間に張るためのケーブル構成の実施形態の複数の図である。
【図１３】本開示に係る、拘束デバイスと係合するスリーブの斜視図である。
【図１４】本開示に係る、スリーブを通って延びる拘束デバイスのケーブルの斜視図である。
【図１５】本開示に係るスリーブの斜視図である。
【図１６】本開示に係る、過度な締めつけを低減するための、第２のアームに弾性的に結合される第１のアームの図である。
【図１７】本開示に係る、過度な締めつけを低減するための、第２のアームに弾性的に結合される第１のアームの図である。
【図１８】本開示に係る、過度な締めつけを低減するための、第２のアームに弾性的に結合される第１のアームの図である。
【図１９】本開示に係る、過度な締めつけを低減するための、第２のアームに弾性的に結合される第１のアームの図である。
【図２０】本開示に係る、過度な締めつけを低減するための、第２のアームに弾性的に結合される第１のアームの図である。
【図２１】本開示に係る、過度な締めつけを低減するための、第２のアームに弾性的に結合される第１のアームの図である。
【図２２】本開示に係る、過度な締めつけを低減するための、第２のアームに弾性的に結合される第１のアームの図である。
【図２３】本開示に係る、過度な締めつけを低減するための、第２のアームに弾性的に結合される第１のアームの図である。
【図２４】本開示に係る、過度な締めつけを低減するための、第２のアームに弾性的に結合される第１のアームの図である。
【図２５】本開示に係る、過度な締めつけを低減するための、第２のアームに弾性的に結合される第１のアームの図である。
【図２６】本開示に係る、過度な締めつけを低減するための、第２のアームに弾性的に結合される第１のアームの図である。
【図２７】本開示に係る、過度な締めつけを低減するための、第２のアームに弾性的に結合される第１のアームの図である。
【図２８】本開示に係る、過度な締めつけを低減するための、第２のアームに弾性的に結合される第１のアームの図である。
【図２９】本開示に係る、過度な締めつけを低減するための、第２のアームに弾性的に結合される第１のアームの図である。
【図３０】本開示に係る、過度な締めつけを低減するための、第２のアームに弾性的に結合される第１のアームの図である。
【図３１】本開示に係る、過度な締めつけを低減するための、第２のアームに弾性的に結合される第１のアームの図である。
【図３２】本開示に係る、過度な締めつけを低減するための、第２のアームに弾性的に結合される第１のアームの図である。
【図３３】本開示に係る、過度な締めつけを低減するための、第２のアームに弾性的に結合される第１のアームの図である。
【図３４】本開示に係る、過度な締めつけを低減するための、第２のアームに弾性的に結合される第１のアームの図である。
【発明を実施するための形態】
【０００８】
概して、本開示は、間の距離を調整できる一対の腕輪を含むが、腕輪の少なくとも一方が、拘束の間に二重に係合でき、かつ、拘束の間以外は二重に係合解除できる、拘束デバイスを開示している。さらに、本開示は、拘束デバイスを、「チェーンスタイル」から「ヒンジスタイル」へ、及びその逆に、変換することを可能にするスリーブを開示している。さらに、本開示は、第１のアーム及び第２のアームを含む拘束デバイスであって、拘束の際に過度な締めつけを避けるために、第２のアームが、第１のアームに対して弾性的に結合している、拘束デバイスを開示している。本開示は、ここで、図１から図３４を参照して、より完全に記載される。図では、本開示の様々な例示的実施形態が示されている。本開示は、多くの異なる形態で実施することができ、また、本明細書に開示の例示的実施形態に必ずしも限定されるものと解釈されるべきではない。むしろ、例示的実施形態は、本開示が、十分かつ完全なものであり、当業者に、本開示の様々なコンセプトを完全に伝えるように、提供される。
【０００９】
本明細書で使用される様々な専門用語は、直接的または間接的、完全または部分的、一時的または恒久的、活性または不活性を含意することができる。たとえば、ある要素が、別の要素に対して「上（ｏｎ）」であるか、別の要素に対して「接続されている（ｃｏｎｎｅｃｔｅｄ）」であるか、別の要素に対して「結合されている（ｃｏｕｐｌｅｄ）」であるものとして言及される場合、その要素は、間接的及び／または直接的な変形形態を含み、他の要素の直接上にあるか、他の要素に直接接続されているか、他の要素に直接結合され得、及び／または、介在する要素が存在する場合がある。対照的に、ある要素が、別の要素に対して「直接接続されている（ｄｉｒｅｃｔｌｙ  ｃｏｎｎｅｃｔｅｄ）」であるか、別の要素に対して「直接結合されている（ｄｉｒｅｃｔｌｙ  ｃｏｕｐｌｅｄ）」として言及される場合、介在する要素は存在しない。
【００１０】
第１、第２などの用語が本明細書において、様々な要素、構成要素、領域、層、及び／またはセクションを記載するために使用され得るが、これら要素、構成要素、領域、層、及び／またはセクションは、そのような用語によっては必ずしも限定されないものとする。これら用語は、１つの要素、構成要素、領域、層、またはセクションを別の要素、構成要素、領域、層、またはセクションから区別するために使用される。このため、以下に論じられる第１の要素、構成要素、領域、層、またはセクションは、本開示の様々な教示から逸脱することなく、第２の要素、構成要素、領域、層、またはセクションと称することができる。
【００１１】
本明細書に使用される様々な用語は、特定の例示的実施形態を記載するために使用されるものであり、必ずしも本開示を限定することは意図されていない。本明細書に使用される場合、様々な単数の形態「ａ」、「ａｎ」、及び「ｔｈｅ」は、文脈が別様に明確に示していない限り、様々な複数の形態も含むことが意図されている。「備える（ｃｏｍｐｒｉｓｅｓ）」、「含む（ｉｎｃｌｕｄｅｓ）」、及び／または、「備えている（ｃｏｍｐｒｉｓｉｎｇ）」、「含んでいる（ｉｎｃｌｕｄｉｎｇ）」との用語は、本明細書で使用される場合、述べられた特徴、整数、ステップ、操作、要素、及び／または構成要素の存在を特定するが、１つまたは複数の他の特徴、整数、ステップ、操作、要素、構成要素、及び／またはそれらのグループの存在及び／または追加を除外しない。
【００１２】
本明細書で使用される場合、「ｏｒ」との用語は、排他的な「ｏｒ」よりむしろ、包括的な「ｏｒ」を意味することが意図されている。すなわち、別様に特定されていないか、文脈から明確でない限り、「ＸがＡまたはＢを採用する（Ｘ  ｅｍｐｌｏｙｓ  Ａ  ｏｒ  Ｂ）」は、自然な包括的変形のセットのいずれかを意味することが意図されている。すなわち、ＸがＡを採用する、ＸがＢを採用する、または、ＸがＡとＢとの両方を採用する場合、前述の例のいずれの下でも、「ＸがＡまたはＢを採用する」が満たされる。
【００１３】
別様に規定されていない限り、本明細書で使用されるすべての用語（技術的及び科学的用語を含む）は、本開示が属する分野の当業者によって一般的に理解されるものと同じ意味を有している。一般的に使用される辞書で規定される用語などの、様々な用語は、関連する技術の文脈の意味と一致する意味を有するものと解釈されるべきであり、また、理想化された意味、及び／または、過度に型にはまった意味では、本明細書でそのように明確に規定されていない限り、解釈されるべきではない。
【００１４】
さらに、「下（ｂｅｌｏｗ）」、「下方（ｌｏｗｅｒ）」、「上（ａｂｏｖｅ）」、及び「上方（ｕｐｐｅｒ）」などの相対的用語は、添付の説明的図面のセットに示されるような、１つの要素の、別の要素に対する関係を記載するために、本明細書で使用することができる。そのような相対的用語は、添付の説明的図面のセットに記載される向きに加え、図示の技術の異なる向きを包含することが意図されている。たとえば、添付の説明的図面のセットのデバイスが、逆さにされた場合、他の要素の「下方」側にあるものと記載される様々な要素は、他の要素の「上方」側に向けられることになる。同様に、説明的図面の１つにおけるデバイスが、逆さにされた場合、他の要素の「下」または「下方」にあるものと記載される様々な要素は、他の要素の「上」に向けられることになる。したがって、様々な例示的用語「下」及び「下方」は、上の向きと下の向きとの両方を包含することができる。
【００１５】
本明細書で使用される場合、「約（ａｂｏｕｔ）」及び／または「実質的に（ｓｕｂｓｔａｎｔｉａｌｌｙ）」との用語は、名目上の値／用語から＋／−１０％の変化に言及している。そのような変化は、そのような変化が明確に言及されているか否かに関わらず、常に、本明細書に提供される任意の所与の値／用語に含まれる。
【００１６】
図１は、本開示に係る拘束デバイスの実施形態の斜視図である。具体的には、拘束デバイス１００は、第１の腕輪１０４と第２の腕輪１０６とを含んでいる。
【００１７】
第１の腕輪１０４は、第１のハウジング１０２を含んでいる。第１のハウジング１０２は、第１の内部キャビティと、第１の開口１１４と、第２の開口１１８と、第３の開口１２２とを規定している。これらはすべて、異なるサイズ及び形状であるが、サイズ及び形状を変化させるか、変化させないことが可能である。第１の開口１１４は、第１のハウジング１０２の幅方向の平面に沿って延びており、一方、第２の開口１１８は、第１のハウジング１０２の深さ方向の平面に沿って延びており、第３の開口１２２は、第１のハウジング１０２の長手方向の平面に沿って延びている。第１の開口１１４は、以下にさらに記載するボタン１１６を保持している。第２の開口１１８は、キー１２０を受け入れるような寸法である。キー１２０は、以下にさらに記載される。第３の開口１２２は、留め金１２４を保持するような寸法である。留め金１２４は、以下にさらに記載される。第１のハウジング１０２は、金属製であるが、プラスチック、ゴム、木材、または他のものを含むことができる。第１のハウジング１０２は、旋回可能なクラムシェルタイプ（２つの旋回可能に結合されたプレート）、または、挟まれたプレートのタイプ（２つの係合したプレート）とすることができる。
【００１８】
第１のハウジング１０２は、この第１のハウジング１０２から片持ち梁の方式で延びる、第１のアーム部分１０８を含んでいる。第１のアーム部分１０８は、第１のハウジング１０２と一体であるが、締結、嵌合、接着、旋回、または他のものによるなどして、第１のハウジング１０２と組み合わせることができる。第１のアーム部分１０８は、弧状であるが、直線状または他の形状など、別の形状にすることができる。第１のアーム部分１０８は、金属を含むが、プラスチック、ゴム、木材、または他の材料を含むことができる。
【００１９】
第１のアーム部分１０８は、この第１のアーム部分１０８にリベットで結合した第１のピン１１０を保持しているが、締結、嵌合、インターロック、接着、または他のものなどの、結合の他の形態が可能である。第１のピン１１０は、直線構成であり、金属を含んでいるが、弧状または他の形状など、異なる形状とすることができるか、プラスチック、ゴム、木材、または他の材料を含むことができる。
【００２０】
第１のアーム部分１０８は、第１のアーム１１２に、第１のピン１１０を介して、片持ち梁の方式で結合している。第１のアーム１１２は、弧状であるが、直線状または他の形状など、別の形状にすることができる。第１のアーム１１２は、金属を含むが、プラスチック、ゴム、木材、または他の材料を含むことができる。結果として、第１の腕輪１０４は、第１のハウジング１０２、第１のアーム部分１０８、及び第１のアーム１１２を介して規定される。
【００２１】
第２の腕輪１０６は、第２のハウジング１２８を含んでいる。第２のハウジング１２８は、第２の内部キャビティと第３の開口１３８とを規定している。これらはすべて、異なるサイズ及び形状であるが、サイズ及び形状を変化させるか、変化させないことが可能である。第３の開口１３８は、第２のハウジング１２８の深さ方向の平面に沿って延びている。第３の開口１３８は、キー１２０を受領するような寸法である。キー１２０は、以下にさらに記載される。第２のハウジング１２８は、金属製であるが、プラスチック、ゴム、木材、または他のものを含むことができる。
【００２２】
第２のハウジング１２８は、この第２のハウジング１２８から片持ち梁の方式で延びる、第２のアーム部分１３０を含んでいる。第２のアーム部分１３０は、第２のハウジング１２８と一体であるが、締結、嵌合、接着、旋回、または他のものによるなどして、第２のハウジング１２８と組み合わせることができる。第２のアーム部分１３０は、弧状であるが、直線状または他の形状など、別の形状にすることができる。第２のアーム部分１３０は、金属を含むが、プラスチック、ゴム、木材、または他の材料を含むことができる。
【００２３】
第２のアーム部分１３０は、この第２のアーム部分１３０にリベットで結合した第２のピン１３２を保持しているが、締結、嵌合、インターロック、接着、または他のものなどの、結合の他の形態が可能である。第２のピン１３０は、直線構成であり、金属を含んでいるが、弧状または他の形状など、異なる形状とすることができるか、プラスチック、ゴム、木材、または他の材料を含むことができる。
【００２４】
第２のアーム部分１３０は、第２のアーム１３４に、第２のピン１３０を介して、片持ち梁の方式で結合している。第２のアーム１３４は、弧状であるが、直線状または他の形状など、別の形状にすることができる。第２のアーム１３４は、金属を含むが、プラスチック、ゴム、木材、または他の材料を含むことができる。第２のアーム１３４は、以下にさらに記載する歯のセット１３６を保持している。結果として、第２の腕輪１０６は、第２のハウジング１２８、第２のアーム部分１３０、及び第２のアーム１３４を介して規定される。
【００２５】
第１の腕輪１０４と第２の腕輪１０６とは、互いに対し、第１の腕輪１０４と第２の腕輪１０６との間に張られるチェーン１２６を介して結合されている。チェーン１２６は、卵形であるが、円形、三角形、もしくは他の形状など、任意の形状とすることができる少なくとも１つのリンクを含み、また、金属を含むが、プラスチック、ゴム、木材、または他の材料を含むことができる。チェーン１２６に対して追加的または代替的に、ケーブル、ロープ、ワイヤ、ストリング、または他のラインタイプを使用することができることに留意されたい。
【００２６】
図２は、本開示に係る、カバープレートが取り外されたハウジングの実施形態の側面図である。図３は、本開示に係る、カバープレートが取り外されたハウジングの実施形態の斜視図である。具体的には、第１のアーム１１２は、歯のセット１４０を含んでいる。第１のハウジング１０２は、第１のバー１４２及び第１のシャフト１４４を内部に保持している。第１のバー１４２は、第１のハウジング１０２に、シャフト１４４を介して旋回可能に結合している。第１のバー１４２は、歯のセット１４６及び凸部１４８を保持している。歯のセット１４０は、歯のセット１４６と噛合し、それにより、歯のセット１４６と係合するように構成されている。歯のセット１４６は、第１のバー１４２上で、凸部１４８とは反対側にある。凸部１４８は、四角形形状であるが、そのような形状は、三角形、五角形、卵形、円形、または他の形状など、変化させることができる。
【００２７】
第１のハウジング１０２は、第２のバー１５２が、（ロックされた）第１の位置と、（ロック解除された）第２の位置との間で、以下にさらに記載される第１のハウジング１０２の幅方向の平面に沿って移動可能であるように、第２のバー１５２を内部に保持している。第２のバー１５２は、第２のバー１５２が第２の位置にある際に、突起１４８を囲むとともに受領するように構成され、それにより、歯のセット１４６が、以下にさらに記載するように、歯のセット１４０としっかりと係合しないようになっている、凹部１５４を保持している。同様に、凹部１５４は、第２のバー１５２が第１の位置にある際に、突起１４８を囲まず、かつ、受け入れないように構成され、それにより、歯のセット１４６が、以下にさらに記載するように、歯のセット１４０としっかりと係合するようになっている。ボタン１１６は、第２のバー１５２と機械的にリンクしており、それにより、ボタン１１６が、バー１５２を、第１の位置と第２の位置との間で、以下にさらに記載される第１のハウジング１０２の幅方向の平面に沿って移動させることができるようになっている。
【００２８】
第１のハウジング１０２は、第１のバネ１５０が、第１のバー１４２及び第２のバー１５２と係合するように、第１のバネ１５０を内部に保持している。第１のバネ１５０はＶ形状ではないが、Ｖ形状が可能であることに留意されたい。第１のバネ１５０は、第１のハウジング１０２内に保持されたシャフトの周りに延びており、そのようなシャフトが、第１のハウジング１０２の深さ方向の平面に沿って、第１のバー１４２と第２のバー１５２との間に延びている。
【００２９】
第１のハウジング１０２は、第２のバネ１５８及び第３のバネ１５６を内部に保持している。第２のバネ１５８はＶ形状であるが、Ｕ形状または他のものなど、他の形状が可能である。第２のバネ１５８は、第１のハウジング１０２と係合する。第３のバネ１５６はＪ形状であるが、Ｕ形状、Ｖ形状、または他のものなど、他の形状が可能である。第３のバネ１５６は、第１のハウジング１０２と係合する。
【００３０】
第１のハウジング１０２は、ピボットが、以下にさらに記載する、第３の位置と第４の位置との間で軸周りに回転するように、ピボット１６０を内部に保持している。軸は、第１のハウジング１０２の深さ方向の平面に沿って延びている。軸は、第２のバネ１５８と第３のバネ１５８との間に、長手方向に延びている。
【００３１】
第１のハウジング１０２は、アクスル１６６及びリール１６２を保持している。アクスル１６６は、第１のハウジング１０２の深さ方向の平面に沿って長手方向に延びている。リール１６２は、歯のセット１６４を含んでおり、また、リール１６２がアクスル１６６周りに回転できるように、アクスル１６６上に取り付けられている。リール１６２は、スプールを含むことができることに留意されたい。
【００３２】
図４は、本開示に係る、カバープレートが取り外され、セーフティロックが係合解除されている、ハウジングの実施形態の側面図である。
【００３３】
具体的には、第２のバー１５２は、凹部１５４を部分的に規定する壁１５３を含んでいる。ボタン１１６は、第２のバー１５２と機械的にリンクしており、それにより、ボタン１１６が、第２のバー１５２を、（ロックされた）第１の位置と（ロック解除された）第２の位置との間で、以下にさらに記載される第１のハウジング１０２の幅方向の平面に沿って（横方向に）移動させることができるようになっている。ここで示すように、ボタン１１６は押圧されておらず、それにより、第２のバー１５２が第２の位置にあるようになっている。第２のバー１５２が第２の位置にある場合、第１のバー１４２は、第１のシャフト１４４周りに旋回できる。そのような旋回により、第１のバネ１５０を介して付勢された際に、歯のセット１４６が歯のセット１４０と係合すると、凹部１５４に、凸部１４８を囲ませ、凹部１５４に、凸部１４８を受け入れさせて、第１のアーム１１２の時計回りの回転を可能にすることができる。したがって、第１のアーム１１２は、歯のセット１４６が歯のセット１４０と係合する際に、第１のピン１１０周りに回転できる（制限されていない）。
【００３４】
図５は、本開示に係る、カバープレートが取り外され、セーフティロックが係合している、ハウジングの実施形態の側面図である。具体的には、図４とは対照的に、ボタン１１６は、第２のバー１５２が、（ロック解除された）第２の位置から（ロックされた）第１の位置へ、第１のハウジング１０２の幅方向の平面に沿って（横方向に）移動するように、凸部１４８に向けて押圧される。ボタン１１６は、様々な方法で押圧することができる。たとえば、ボタン１１６は、第１の開口１１４を通ってボタン１１６に強制的に接触するキー１２０を介して、または、第１の開口１１４内にフィットするようなサイズであり、ボタン１１６に強制的に接触するピンを介して、押圧することができる。
【００３５】
第２のバー１５２が第１の位置に配置された場合、第１のバー１４２は、第１のシャフト１４４周りに旋回できる。しかし、そのような旋回により、凹部１５４に、凸部１４８を囲ませ、凹部１５４に、凸部１４８を受け入れさせることは不可能である。この理由は、歯のセット１４６が歯のセット１４０と係合すると、凸部１４８が壁１５３と係合し、これにより、凸部１４８の、歯のセット１４０から離れるようなさらなる移動をブロックするためである。したがって、第１のアーム１１２は、歯のセット１４６が歯のセット１４０と係合すると、第１のピン１１０周りに回転できない（制限されている）。第２のバー１５２が（ロックされた）第１の位置から（ロック解除された）第２の位置に、第２の開口１１８に挿入され、ボタン１１６とは反対側で、第２のバー１５２と回転するように係合するキー１２０を介して、移動することができることに留意されたい。たとえば、キー１２０は、第２のバー１５２を開放するように時計回りに回転でき、第１のアーム１１２を開放するために、第１のバー１４２を開放するように、反時計回りに回転できる。
【００３６】
図６は、本開示に係る、カバープレートが取り外され、ピボットがアーム及びスプールと係合している、ハウジングの実施形態の側面図である。具体的には、ピボット１６０は、第１の延長部１６６と、第２の延長部１６８と、第３の延長部１７０とを保持している。これらのいずれかは、形状またはサイズが類似であるか、類似ではない場合があるか、金属、プラスチック、または他の材料を含む場合があるか、ピボット１６０と一体であるか、締結、噛合、または他のものによるなどして、ピボット１６０と組み合わせられている場合がある。ピボット１６０は、第２のバネ１５８と第３のバネ１５６との間で回転可能である。第１の延長部１６６と第２の延長部１６８とは、間が約９０度以下の角度になっている。第１の延長部１６６と第３の延長部１７０とは、間が約１８０度以下の角度になっている。第２の延長部１６８と第３の延長部１７０とは、間が約１８０度以下の角度になっている。第１の延長部１６６は、第１のバー１４２及び第２のバー１５２に沿って、リールから離れるように延びている。第１のハウジング１０２が、一対のプレート（側部）を含んでおり、したがって、第１のバー１４２、第２のバー１５２、及び第１の延長部１１６が、一対の側部間に位置し、ここで、第１の延長部１６６が、第１のバー１４２または第２のバー１５２と、一対の側部の１つの側部との間に延びていることに留意されたい。第２のバネ１５８は、第３の延長部１７０及び第１のハウジング１０２と係合する。第３のバネ１５６は、第２の延長部１６８及び第１のハウジング１０２と係合する。
【００３７】
第２のバネ１５８または第３のバネ１５６を介して付勢されることから、第２のバー１５２が（ロックされた）第１の位置に配置され、ピボット１６０が第３の位置へと回転すると、第１のバー１４２の歯のセット１４６も第１のアーム１１２の歯のセット１４０と係合することから、第１の延長部１６６は第１のアーム１１２の歯のセット１４０の少なくとも１つの歯と係合し、一方、第２のバネ１５８または第３のバネ１５６を介して付勢されることから、第２の延長部１６８は、リール１６２の歯のセット１６４の少なくとも１つの歯と係合する。したがって、第１のアーム１１２が第１の延長部１６６としっかりと係合することから、第２の延長部１６８がリール１６２を、回転しないようにロックする。第１の延長部１６６は、第３のバネ１５６が第２の延長部１６８を歯のセット１６４へと押圧することを可能にし、それにより、反時計回りまたは他の方向など、単一方向の回転を可能にする。
【００３８】
図７は、本開示に係る、カバープレートが取り外され、ピボットがアーム及びスプールと係合していない、ハウジングの実施形態の側面図である。具体的には、図６とは対照的に、第２のバネ１５８または第３のバネ１５６を介して付勢された際に、第２のバー１５２が（ロック解除された）第２の位置に配置され、ピボット１６０が第４の位置へと回転すると、第１のバー１４２の歯のセット１４６も第１のアーム１１２の歯のセット１４０と係合することを回避することから、第１の延長部１６６は第１のアーム１１２の歯のセット１４０と係合することを回避し、一方、第２のバネ１５８または第３のバネ１５６を介して付勢された際に、第２の延長部１６８は、リール１６２の歯のセット１６４との係合を回避する。したがって、第１のアーム１１２が第１の延長部１６６としっかりと係合しないことから、第２の延長部１６８は、自在に回転することを可能にするように、リール１６２のロックを解除する。第１の延長部１６６は、第２のバネ１５８によって開くように付勢されている。第２のバネ１５８は、リール１６２から係合解除させ、それにより、リール１６２を自在に回転させるように、第２の延長部１６８を付勢している。したがって、リール１６２は、歯のセット１４０が歯のセット１４６及び第１の延長部１６６との係合を避けた際に、自在に回転するように構成されている。
【００３９】
図８は、本開示に係る、カバープレートが取り外されたハウジングと、スプールの一対の回転方向との実施形態の側面図である。具体的には、リール１６２は、定荷重バネを保持している。さらに、リール１６２は、締結、嵌合、または他のものによるなどして、ケーブル１２３に結合されている。ケーブル１２３は、締結、嵌合、または他のものによるなどして、留め金１２４に結合されている。ケーブル１２３が、ロープ、チェーン、コード、または他のものなど、任意のタイプのラインを含むことができることに留意されたい。したがって、第１のアーム１１２の歯のセット１４０が第１のバー１４２の歯のセット１４６、及び、第１の延長部１６６との係合を避けた際に、定荷重バネが、リール１６２を巻き戻し、それにより、ケーブル１２３を第１のハウジング１０２内に巻き戻すことができる。リール１６２の回転の方向は、図８に示す方向から逆にするなど、変化させることができることに留意されたい。
【００４０】
図９は、本開示に係る、カバープレートが取り外され、セーフティロックが係合解除されている、ハウジングの実施形態の側面図である。図１０は、本開示に係る、カバープレートが取り外され、セーフティロックが係合している、ハウジングの実施形態の側面図である。図１１は、本開示に係る、カバープレートが取り外され、第１のバーの凸部が第２のバーの凹部を介して囲まれている、ハウジングの実施形態の側面図である。具体的には、第２の腕輪１０６は、第１の腕輪１０４と同様に作動するが、ピボット１６０を含んでいない。
【００４１】
図１を参照すると、図９は、ボタン１１６が押圧されておらず、第２のバー１５２が（ロック解除された）第２の位置に配置されている際に、第２のアーム１３４の歯のセット１３６と係合している第１のバー１４２の歯のセット１４６を示している。具体的には、第１のバー１４２は、第１のシャフト１４４周りに旋回できる。そのような旋回により、第１のバネ１５０を介して付勢されることから、歯のセット１４６が歯のセット１３６と係合すると、凹部１５４に、凸部１４８を囲ませ、凹部１５４に、凸部１４８を受け入れさせて、第２のアーム１３４の時計回りの回転を可能にすることができる。したがって、第２のアーム１３４は、歯のセット１４６が歯のセット１３６と係合すると、第２のピン１３２周りに回転できる（制限されていない）。
【００４２】
図１を参照すると、図１０は、図９と対比され、ボタン１１６が、第２のバー１５２が、（ロック解除された）第２の位置から（ロックされた）第１の位置へ、第２のハウジング１２８の幅方向の平面に沿って（横方向に）移動するように、凸部１４８に向けて押圧されることを示している。ボタン１１６は、様々な方法で押圧することができる。たとえば、ボタン１１６は、第２のハウジング１２８の開口を通ってボタン１１６に強制的に接触するキー１２０を介して、または、その開口内にフィットするようなサイズであり、ボタン１１６に強制的に接触するピンを介して、押圧することができる。
【００４３】
第２のバー１５２が第１の位置に配置された場合、第１のバー１４２は、第１のシャフト１４４周りに旋回できる。しかし、そのような旋回により、凹部１５４に、凸部１４８を囲ませ、凹部１５４に、凸部１４８を受け入れさせることは不可能である。この理由は、歯のセット１４６が歯のセット１３４と係合すると、凸部１４８が壁１５３と係合し、これにより、凸部１４８の、歯のセット１３４から離れるようなさらなる移動をブロックするためである。したがって、第２のアーム１３４は、歯のセット１４６が歯のセット１３４と係合すると、第２のピン１３２周りに回転できない（制限されている）。第２のバー１５２が（ロックされた）第１の位置から（ロック解除された）第２の位置に、第３の開口１３８に挿入され、ボタン１１６とは反対側で、第２のバー１５２と回転するように係合するキー１２０を介して、移動することができることに留意されたい。たとえば、キー１２０は、第２のバー１５２を開放するように時計回りに回転でき、第２のアーム１３４を開放するために、第１のバー１４２を開放するように、反時計回りに回転できる。
【００４４】
図１を参照すると、図１１は、図１０と対比され、第１のバネ１５０を介して付勢されることから、歯のセット１４６が歯のセット１３６と係合すると、凹部１５４が凸部１４８を囲み、凹部１５４が凸部１４８を受け入れて、第２のアーム１３４の時計回りの回転を可能にすることを示している。したがって、第２のアーム１３４は、歯のセット１４６が歯のセット１３６と係合すると、第２のピン１３２周りに回転できる（制限されていない）。
【００４５】
図１２は、本開示に係る、一対の腕輪間に張るためのケーブル構成の実施形態の複数の図である。具体的には、図１を参照すると、第１の腕輪１０４と第２の腕輪１０６とが、ケーブル１２３、留め金１２４、チェーン１２６、及び要素１２７を含むアセンブリを介して結合されている。要素１２７は、ケーブル１２３を留め金１２４に結合した状態に維持するための調整ネジとして動作する。チェーン１２６が、１つのリンク、または、２つ以上のリンクを含むことができることに留意されたい。さらに、留め金１２４が、内部に開口１２９を規定するＤリング１３１を含むことができることに留意されたい。Ｄリング１３１は、円形であるが、三角形、五角形、または他の形状など、形状を変化させることができる。留め金１２４は、中心軸１３３に沿って延びている。さらに、留め金１２４が、金属を含んでいるが、プラスチックなどの他の材料を含むことができることに留意されたい。さらに、留め金１２４が、外部の鋭い縁部がないことに留意されたい。
【００４６】
いくつかの実施形態では、第１の腕輪１０４または第２の腕輪１０６の少なくとも一方のラチェット動作を、変化、たとえば向上させるなどのために、歯のセットのいずれかの向きは、逆にすることができ、または、歯の数は、２から１に減らすか、２から３に増やすことができる。
【００４７】
拘束デバイス１００は、人間または他の動物などの哺乳動物を、手首、足首、首、胴、または他の部位などの第１の身体の部位を介し、手首、足首、首、胴、または他の部位などの第２の身体の部位に対して、拘束するためか、人間または他の動物などの別の哺乳動物か、移動するか固定されているかに関わらず、ポール、建物、車両、または他のものなどの対象を拘束するための、手錠デバイス、足錠デバイス、または他のものとして使用することができる。いくつかの実施形態では、拘束デバイス１００は、手動であるか動力を有するウィンチとして構成することができるか、ウィンチが、拘束デバイス１００の少なくともいくつかの構成要素を含んでいる。
【００４８】
図１３は、本開示に係る拘束デバイスと係合するスリーブの斜視図である。図１４は、本開示に係るスリーブを通って延びる拘束デバイスのケーブルの斜視図である。具体的には、拘束デバイス１００は、筒状であるか、砂時計の形状のスリーブ１７２を含んでいる。スリーブ１７２は、一対のオープンエンド部分１７６を含んでおり、それにより、スリーブ１７２が、一対のオープンエンド部分１７６からテーパが付されて、砂時計形状のようになっている。したがって、スリーブ１７２は、長手方向及び横方向に、形状またはサイズが変化しているが、一様な形状またはサイズも可能である。たとえば、スリーブ１７２は、直線状、正弦波状、弧状、脈動形状、または他の形状に関わらず、対となる形状、８の字の形状、または別の方法での形状とすることができる。スリーブ１７２は、人間の手と係合するために構成された、複数のウェルなどの、複数の凹部１７４を含んでいる。しかし、スリーブ１７２が、人間の手と係合するために構成された、複数のバンプなどの、複数の凸部を含むことができることに留意されたい。スリーブ１７２の内部が中空であることから、一対のオープンエンド部分１７６は、スリーブ１７２を通して、互いに流体連通している。オープンエンド部分１７６の少なくとも一方が、ケーブル１２３の、広い範囲の横方向の移動を許容するなどのために、大部分を開くことができることに留意されたい。たとえば、オープンエンド部分１７６の少なくとも一方は、それぞれの端部のオープンターミナルエリアの少なくとも５１％をオープンにすることを介して、大部分を開くことができる。しかし、オープンエンド部分１７６の少なくとも一方が、大部分を閉じたものとするか、開いているのを大部分ではなくすることができることに留意されたい。さらに、スリーブ１７２は、開口を、ケーブル１２３を収容するようなサイズにしつつ、オープンエンド部分１７６間の壁を内部に保持することができることに留意されたい。スリーブ１７２は、ゴムを含むが、プラスチック、金属、木材、または他の材料を含むことができる。スリーブ１７２は、中実であるが、穴を開けるか、メッシュ状であるか、複数のスケールまたは複数のリンクを含むことができる。スリーブ１７２は、可撓性を有し、延長可能であり、かつ弾性的であるが、剛性にすることができる。いくつかの実施形態では、スリーブ１７２は、電子回路、センサ、または、無線トランシーバもしくは他のものなど、ハードウェアロジックの他の形態を含むことができる。たとえば、センサは、環境的特性、物理的移動、生体認証、または他のものを検知することができる。
【００４９】
スリーブ１７２は、第１の腕輪１０４と第２の腕輪１０６との間にわたっている。スリーブ１７２は、第１のハウジング１０２上、及び、第２のハウジング１２８上に、オープンエンド部分１７６を介して取り付けられるように構成されており、それにより、スリーブ１７２が、第１の腕輪１０４と第２の腕輪１０６との間に配置されるようになっている。
【００５０】
そのような取付けは、ぴったりとしているか、ぴったりとしていないかに関わらず、恒久的であるか、一時的であるものとすることができる。たとえば、エンド部分１７６の少なくとも一方は、溶接、熱接着、接着、または他のものを介して、第１のハウジング１０２または第２のハウジング１０４の少なくとも一方に、恒久的に取り付けることができる。たとえば、エンド部分１７６の少なくとも一方は、締結、嵌合（オス／メス）、インターロック、接着、磁石、吸引カップ、ホックとループ、ホック、または他のものを介して、第１のハウジング１０２または第２のハウジング１２８の少なくとも一方に、一時的に取り付けることができる。たとえば、スリーブ１７２は、第１のハウジング１０２または第２のハウジング１２８の少なくとも一方に、オープンエンド部分１７６を介して取り付けることができ、それにより、第１のハウジング１０２または第２のハウジング１２８の少なくとも一方、またはその逆に関して、すなわち、スリーブ１７２に対する第１のハウジング１０２または第２のハウジング１２８の少なくとも一方に関し、中間の角度の値を含み、約３６０度以下、約２７０度以下、約１８０度以下、約９０度以下、約４５度以下、約３０度以下、約１５度以下、約１０度以下、約５度以下、または他の値など、スリーブ１７２が回転できないようになっている。たとえば、スリーブ１７２は、約１インチから約２インチまで直径が変化する、約６インチから約７インチの長さのブチルゴムチューブを含むことができる。スリーブ１７２は、ストレッチを介して第１のハウジング１０２上に、及び、第２の腕輪１０６が後退した際に第２のハウジング１２８上に、取り付けられる。配置されると、スリーブ１７２は、第２のハウジング１２８をリリースし、ケーブル１２３が、オープンエンド部分１７６の一方を通ることになる。いくつかの実施形態では、第１の腕輪１０４または第２の腕輪１０６の少なくとも一方は、その一体の構成要素として、スリーブ１７２として構成されるか、スリーブ１７２の構造であるか、スリーブ１７２を含む。たとえば、第１のハウジング１０２は、本明細書に開示のように、ケーブル１２３を収容するように構成され、かつ、スリーブ１２７内に取り付けるために、第２のハウジング１２８を受け入れるように構成された、筒状、砂時計形状、または他の形状にすることによるなどして、スリーブ１７２として構成することができるか、スリーブ１７２としての構造とすることができる。
【００５１】
したがって、スリーブ１７２は、後退していない状態では、ほこり及び粒子が第１のハウジング１０２または第２のハウジング１２８に入ることを防止するように、また、人間の手にとって、人間工学的に快適なグリップとして作用することができる。さらに、スリーブ１７２は、手錠の手順か手錠の配置の間かに関わらず、拘束デバイス１００を、「チェーンスタイル」の拘束デバイスであるものから、「ヒンジスタイル」の拘束デバイスへ、及びその逆に、変換することを可能にすることができる。たとえば、スリーブ１７２は、ポケット／ホルスターから抜き出す際に、腕輪が回転することなく、有効な腕輪の向きを可能にすることができる。たとえば、スリーブ１７２は、スリーブ１７２がその整列を維持することから、第１の腕輪１０４と第２の腕輪１０６との、それ自体による整列を可能にすることができる。さらに、スリーブ１７２は、第１のハウジング１０２または第２のハウジング１２８の人間工学的な利益を提供することができる。たとえば、スリーブ１７２は、ケーブル１２３をカバーすることができ、ケーブル１２３が第１の腕輪１０４と第２の腕輪１０６とを結合するエリアを繋ぐ、伸縮性のあるゴムの幕を提供することができる。たとえば、スリーブ１７２は、第１の腕輪１０４と第２の腕輪１０６とのいずれかに恒久的に固定しないことにより、ケーブル１２３によって提供され得る回転を除去できる、剛性のヒンジの制限なしで、その整列機能の助けになることができる。たとえば、スリーブ１７２は、第１の腕輪１０４または第２の腕輪１０６の向きを制限することなく、整列させるような形状とすることができ、これにより、所望のどのような向きにおいても、腕輪を整列させることができる。したがって、スリーブ１７２は、その主要な制限（係合角度及び移動範囲の制限）を伴わずに、ヒンジの手錠の利点（自動的な整列）を提供することができる。
【００５２】
図１５は、本開示に係るスリーブの斜視図である。図１３及び図１４のスリーブ１７２とは異なり、このスリーブ１７２は、長手方向に沿って、横方向の断面が円形で一様である。しかし、長手方向に沿って、横方向の断面が一様であるか非一様であるかに関わらず、三角形、四角形、五角形、矩形、八角形、星形、三日月形、十字形、または任意の他の閉じた形状の多角形など、他の形状が可能であることに留意されたい。
【００５３】
図１６から図３４は、本開示に係る、過度な締めつけを低減するための、第２のアームに弾性的に結合される第１のアームの複数の様々な図である。具体的には、図１６は、歯のセット１４０を含む第１のアーム１１２の分解図を示している。第１のアーム１１２が、第１の腕輪１０４の文脈において記載されているが、この技術は、第２の腕輪１０６においても同様に実施することができる。第１のアーム１１２は、その内部に横方向に延びるキャビティ１７８、その内部に横方向に延びるシート１８０、及び、その内部に横方向に延びるキャビティ１８２を規定もしている。キャビティ１７８、シート１８０、またはキャビティ１８２は、ウェル、または、内部を完全に通って延びるチャネルとすることができる。キャビティ１７８は環状の形状であるが、卵形状、Ｄ形状、または他の形状など、別の形状にすることができる。シート１８０は、Ｖ形状であるが、Ｗ形状、Ｍ形状、Ｎ形状、Ｏ形状、Ｘ形状、Ｕ形状、または他の形状など、異なる形状とすることができる。キャビティ１８２は矩形の形状であるが、四角形形状、卵形状、三角形形状、または他の形状など、別の形状にすることができる。キャビティ１７８、シート１８０、またはキャビティ１８２は、内部を滑らかにするか、粗くすることができる。
【００５４】
キャビティ１７８は、第１のハウジング１０２または第２のハウジング１２８にリベットで結合するためなど、ピン１８４を受け入れるようなサイズになっている。ピン１８４は、直線状のステムを含んでいるが、ステムは、弧状、正弦波形状、または他の形状など、直線状ではなくすることができる。ピン１８４は、ステムから延びるヘッドを含むことができ、このヘッドは、キャスティング、モールディング、または他の方法によるなどして、ステムと一体であるか、締結、嵌合、接着、または他の方法によるなどして、ステムと組み合わせられる。ピン１８４は、滑らかであるが、粗くすることができるか、スレッド状またはスパイク状とすることができる。ピン１８４は、金属を含んでいるが、プラスチック、ゴム、木材、または他の材料などの他の材料を含むことができる。
【００５５】
第１のアーム１１２は、人間の手首または他のものに順応するか収容するなどのために、弧状の方式で延びる第３のアーム１８６を保持するように構成することができる。しかし、第３のアーム１８６は、直線形状、正弦波形状、または他の形状など、他の方法で延びることができることに留意されたい。第３のアーム１８６は、金属を含んでいるが、プラスチック、ゴム、木材、または他の材料などの他の材料を含むことができる。第３のアーム１８６は、第１の長手方向端部分と第２の長手方向端部分とを有しており、第１の長手方向端部分は、第２の長手方向端部分とは反対側にある。第１の長手方向端部分は、その内部に横方向に延びるキャビティ１８８を規定している。キャビティ１８８は、ピン１８４を保持するようなサイズである。キャビティ１８８は、ウェル、または、内部を完全に通るチャンネルとすることができる。キャビティ１８８は環状の形状であるが、卵形状、Ｄ形状、または他の形状など、別の形状にすることができる。キャビティ１８８は、内部を滑らかにするか、粗くすることができる。第２の長手方向端部分は、この第２の長手方向端部分から片持ち梁の方式で延びる、テール１９２を規定している。テール１９２は、第３のアーム１８６と一体であるが、締結、嵌合、接着、または他のものを介して、この第３のアーム１８６と組み合わせることができる。第３のアーム１８６は、第１の長手方向端部分と第２の長手方向端部分との間、及び、キャビティ１８８とテール１９２との間に、歯のセット１９０を保持している。歯のセット１４０と歯のセット１９０とが、逆方向に噛合するために配置されている。
【００５６】
シート１８０は、バネ１９４を保持するように構成されている。バネ１９４には、らせんバネ、らせんではないバネ、トーションバネ、または他のバネを含めることができる。バネ１９４が、フォーム部材、弾性プラグ、弾性ピース、または他のものを含むか、代替することができることに留意されたい。シート１８０は、バネ１９４をぴったりと保持することができるが、ぴったりとしていない保持が可能である。シート１８０に着座されると、バネ１９４は、接触または他の方法によるなどして、第１のアーム１１２及び第３のアーム１８６と係合する。たとえば、バネ１９４は、第１の長手方向端部分と第２の長手方向端部分との間、及び、キャビティ１８８とテール１９２との間で、第３のアーム１８６と係合することができる。たとえば、バネ１９４は、このバネ１９４が、キャビティ１９４とテール１９２との間で第３のアーム１８６と接触するように、第１の長手方向端部分に対して係合することができる。
【００５７】
図１７に示すように、シート１８０は、バネ１９４が、ピン１８４がキャビティ１７８を通って延びる場合に、ピン１８４と歯のセット１４０との間にあると、バネ１９４が第１のアーム１１２及び第３のアーム１８６に係合するように、バネ１９４を着座させることができる。歯のセット１４０と歯のセット１９０とが、逆方向に噛合するために配置されていることに留意されたい。第１のアーム１１２は、バネ１９４がデフォルトの位置にあることによるなど、バネ１９４が圧縮されていない場合に、接触または他の方法によるなどして、テール１９２と係合するレッジ１９６を含んでいるが、バネ１９４が圧縮されている場合など、逆の構成が可能である。
【００５８】
対照的に、図１８に示すように、第３のアーム１８６が人間の手首、または他のものなどに接触し、それにより、バネ１９４を圧縮するように付勢することによるなどして、デフォルトではない位置などへと、バネ１９４が圧縮されると、第３のアーム１８６が、ピン１８４周りに旋回し、それにより、テール１９２が、レッジ１９６から離れるように移動し、また、空隙が、レッジ１９６とテール１９２との間に形成されるようになっている。いくつかの実施形態では、第３のアーム１８６は、一対の角を介して第１のアーム１１２に旋回可能に結合されており、この一対の角は、協同して整列するか、剛性であるか、直線状であるか、弧状であるか、正弦波形状とすることができ、第３のアーム１８６から、上で開示したように、第１のアーム１１２の一対のキャビティ内に、互いに対して反対の方向に延びている。いくつかの実施形態では、第３のアーム１８６は、一対の角を介して第１のアーム１１２に旋回可能に結合されており、この一対の角は、協同して整列するか、剛性であるか、直線状であるか、弧状であるか、正弦波形状とすることができ、第１のアーム１１２から、上で開示したように、第３のアーム１８６の一対のキャビティ内に、互いに向かって延びている。いくつかの実施形態では、レッジ１９６は、バネ１９４が圧縮された位置にある場合にテール１９２と係合し、バネ１９４が圧縮されていない位置にある場合に、テール１９２と係合解除される。
【００５９】
図２２に示すように、第１のバー１４２の歯のセット１４６は、圧縮されていないバネ１９４に基づき、テール１９２がレッジ１９６に接触すると、第１のアーム１１２の歯のセット１４０と噛合するが、上に開示のように、逆の実施形態が可能である。バネ１９４が圧縮されていない場合、第３のアーム１８６がキャビティ１８２から外に延びるが、上に開示のように、逆の実施形態が可能であることに留意されたい。対照的に、図２３に示すように、第３のアーム１８６が人間の手首または他のものと接触し、それにより、バネ１９４を圧縮するように付勢する場合か、その逆の場合などに、バネ１９４が圧縮され、第３のアーム１８６は、ピン１８４を介して、第１のアーム１１２に対して旋回し、それにより、テール１９２が、レッジ１９６から離れるように移動し、空隙が、それらの間に形成され、第３のアーム１８６が、キャビティ１８２内に、歯のセット１４０に向かって押圧されるようになっている。その際に、歯のセット１９０は、以下にさらに説明するように、第１のバー１４２と係合する。
【００６０】
図２７、及び、図２９から図３４に示すように、第１のバー１４２は、第３のアーム１８６上の歯のセット１９０と噛合するように構成された歯のセット１９６を含んでいる。したがって、第１のバー１４２は、歯のセット１４６及び歯のセット１９６を含んでいる。歯のセット１４６と歯のセット１９６とが、逆方向に噛合するために配置されていることに留意されたい。結果として、第３のアーム１８６が人間の手首または他のものに接触し、それにより、バネ１９４を、圧縮するように付勢するかその逆によるなどして、バネ１９４が圧縮されるか、その逆に場合に、歯のセット１４６は歯のセット１４０と噛合し、歯のセット１９６は歯のセット１９０と噛合する。また、第３のアーム１８６は、ピン１８４周りに、第１のアーム１１２に対して旋回し、それにより、テール１９２が、レッジ１９６から離れるように、第１のバー１４２に向かって移動し、レッジ１９６と接触しないようになっており、また、レッジ１９６とテール１９２との間の空隙が形成されるようになっている。
【００６１】
第１のアーム１１２が、歯のセット１４０の少なくとも１つの列を保持できることに留意されたい。歯のセット１４０の少なくとも１つの列は、バネ１９４が圧縮されているか、圧縮されていない場合などに、第３のアーム１８６の歯のセット１９０に沿うか、平行であるか、隣接して、長手方向に配置され得る。たとえば、図２９から図３４に示すように、第１のアーム１１２は、歯のセット１４０の２つの列を保持し、これら列の両方は、第１のバー１４０上の歯のセット１４６の２つの列と噛合する。いくつかの実施形態では、３つ以上の列の歯のセット１４０と歯のセット１４６とを使用することができる。同様に、第３のアーム１８６が、ピン１８４を介して第１のアーム１１２上に旋回可能に保持されていることから、歯のセット１９０は、バネが圧縮されているか、圧縮されていない場合などに、歯のセット１４０の２つの列の間に介在している。３つ以上の列の歯のセット１４０または歯のセット１４６が使用される場合、２つの列の歯のセット１４０または歯のセット１４６との間で互い違いになることによるなどして、歯のセット１９０または歯のセット１９６を使用することができることに留意されたい。
【００６２】
図２８に示すように、第３のアーム１８６は、スリーブ１７２が第１の腕輪１０４と第２の腕輪１０６との間にわたるように使用することができる。スリーブ１７２は、第１のハウジング１０２上、及び、第２のハウジング１２８上に、オープンエンド部分１７６を介して取り付けられるように構成されており、それにより、スリーブ１７２が、第１の腕輪１０４と第２の腕輪１０６との間に配置されるようになっている。
【００６３】
特定の例示的実施形態に関して記載された特徴は、様々な他の例示的実施形態に、及び／または、様々な他の例示的実施形態と合わせて、組み合わせること、及び、部分的に組み合わせることができる。さらに、本明細書に記載のように、例示的な実施形態の様々な態様及び／または要素も、同様の方式で、組み合わせること、及び、部分的に組み合わせることができる。さらに、個別及び／または集合的であるかに関わらず、いくつかの例示的実施形態は、より大であるシステムの構成要素とすることができ、他の手順が、それらのアプリケーションに対して優先される、及び／または、それらのアプリケーションを別様に変更できる。さらに、複数のステップが、本明細書に開示のように、例示的実施形態の前、後、及び／または同時に必要とされ得る。少なくとも本明細書に開示の、任意の及び／またはすべての方法及び／またはプロセスが、任意の方式で、少なくとも１つのエンティティを介して、少なくとも部分的に実施され得ることに留意されたい。
【００６４】
本開示の例示的実施形態が、本開示の理想的な実施形態（及び中間的構造）の図を参照して本明細書に説明されている。したがって、たとえば製造技術及び／または公差の結果としての様々な図示の形状からの変化が予期されることになる。このため、本開示の様々な例示的実施形態は、本明細書に示す領域の様々な特定の形状には必ずしも限定されるとは解釈されるべきではないが、たとえば製造の結果である形状の逸脱を含むものである。
【００６５】
本明細書に開示の、任意の及び／またはすべての要素は、一体であるものなど、同じ、構造的に連続したピースから形成することができ、及び／または、アセンブリ及び／またはモジュールであるなど、別々に製造及び／または接続することができる。本明細書に開示の、任意の及び／またはすべての要素は、添加製造、減法製造、及び／または他の任意の他のタイプの製造かに関わらず、任意の製造プロセスを介して製造することができる。たとえば、いくつかの製造プロセスは、３次元（３Ｄ）プリント、レーザカッティング、コンピュータの数値上の制御ルーティング、ミリング、圧縮、スタンプ、真空整形、ハイドロフォーミング、インジェクションモールディング、リソグラフィなどを含んでいる。
【００６６】
本明細書に開示の、任意の、及び／またはすべての要素は、部分的及び／または完全かに関わらず、金属、鉱物、非晶質材料、セラミック、ガラスセラミック、木材及び／または、ゴムなどのポリマなどの有機的固体、複合材料、半導体、ナノ材料、バイオマテリアル、及び／またはこれらの任意の組合せを含む、固体とすることができる、及び／または、含むことができる。本明細書に開示の任意の、及び／またはすべての要素は、部分的及び／または完全かに関わらず、インクなどの情報を与えるコーティング、接着性のコーティング、真空シール及び／または加熱シールなどの溶融接着性のコーティング、テープライナなどの剥離剤コーティング、低い表面エネルギのコーティング、色合い、色、色調、飽和、トーン、影、透過性、半透明、不透明度、ルミネッセンス、反射、燐光性、反射防止、及び／またはホログラフィなどの光学コーティング、感光性コーティング、不動態、絶縁、抵抗もしくは導電性に関するものなどの電子的特性及び／または熱的特性のコーティング、磁気コーティング、耐水及び／または防水コーティング、香気コーティング、及び／またはこれらの任意の組合せを含む、コーティングとすることができる、及び／または、含むことができる。本明細書に開示の、任意の及び／またはすべての要素は、剛性、可撓性、及び／またはこれらの任意の他の組合せとすることができる。本明細書に開示の、任意の及び／またはすべての要素は、材料、形状、サイズ、色、及び／または、長さ、幅、高さ、深さ、面積、方位、周囲の長さ、体積、横幅、密度、温度、抵抗などの任意の測定可能なディメンジョンを、互いに同一及び／または異なるものとすることができる。
【００６７】
添付の様々な請求項における、様々な対応する構造、材料、作用、及び、機能的な手段またはステップ（ｍｅａｎｓ  ｏｒ  ｓｔｅｐ  ｐｌｕｓ  ｆｕｎｃｔｉｏｎ）の要素すべての均等物は、明確に請求されるような、他の請求される要素と組み合わせて作用を実施するために、任意の構造、材料、または作用を含むことが意図されている。様々な実施形態が、本開示の様々な原理、及び、本開示の様々な実際の用途を最適に説明するため、かつ、関連する技術の当業者が、予期される特定の用途に適するような、様々な変更を伴う様々な実施形態に関し、本開示を理解することを可能にするために、選択及び記載されてきた。
【００６８】
この詳細な説明は、説明及び記載の様々な目的のために提供されてきたが、完全に排他的である、及び／または、様々な開示の形態における本開示に限定することは意図していない。技術及び構造における多くの変更及び変形が、添付の様々な請求項に説明される、本開示の範囲及び趣旨から逸脱することなく、当業者には明らかとなるであろう。したがって、そのような変更及び変形は、本開示の一部であるものと考えられる。本開示の範囲は、本開示の出願の時点で、既知の均等物及び予知できない均等物を含む、様々な請求項によって規定される。
【図１】
2020118021.tif 000003
【図２】
2020118021.tif 000004
【図３】
2020118021.tif 000005
【図４】
2020118021.tif 000006
【図５】
2020118021.tif 000007
【図６】
2020118021.tif 000008
【図７】
2020118021.tif 000009
【図８】
2020118021.tif 000010
【図９】
2020118021.tif 000011
【図１０】
2020118021.tif 000012
【図１１】
2020118021.tif 000013
【図１２】
2020118021.tif 000014
【図１３】
2020118021.tif 000015
【図１４】
2020118021.tif 000016
【図１５】
2020118021.tif 000017
【図１６】
2020118021.tif 000018
【図１７】
2020118021.tif 000019
【図１８】
2020118021.tif 000020
【図１９】
2020118021.tif 000021
【図２０】
2020118021.tif 000022
【図２１】
2020118021.tif 000023
【図２２】
2020118021.tif 000024
【図２３】
2020118021.tif 000025
【図２４】
2020118021.tif 000026
【図２５】
2020118021.tif 000027
【図２６】
2020118021.tif 000028
【図２７】
2020118021.tif 000029
【図２８】
2020118021.tif 000030
【図２９】
2020118021.tif 000031
【図３０】
2020118021.tif 000032
【図３１】
2020118021.tif 000033
【図３２】
2020118021.tif 000034
【図３３】
2020118021.tif 000035
【図３４】
2020118021.tif 000036
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
拘束デバイスであって、
ハウジングと、
前記ハウジング内に収容されたバーであって、前記バーが、歯の第１のセット及び歯の第２のセットを保持しており、前記歯の第１のセットと前記歯の第２のセットとが、反対方向に噛合するように構成されている、前記バーと、
前記ハウジングに旋回可能に結合された第１のアームであって、前記第１のアームが、歯の第３のセットを保持しており、前記歯の第１のセットが、前記歯の第３のセットと噛合するように構成されている、前記第１のアームと、
前記第１のアーム内に保持され、前記第１のアームと係合するバネと、
前記第１のアームに旋回可能に結合され、前記バネと係合する第２のアームであって、前記第２のアームが歯の第４のセットを保持しており、前記歯の第４のセットが、前記バネが圧縮されている場合に、前記歯の第２のセットと噛合するように構成されており、前記歯の第４のセットが、前記バネが圧縮されていない場合に、前記歯の第２のセットとの噛合を避けるように構成されている、前記第２のアームと、を備えている、拘束デバイス。
【請求項２】
前記第２のアームが弧状である、請求項１に記載の拘束デバイス。
【請求項３】
前記歯の第３のセットが、前記歯の第４のセットのすぐ隣で、長手方向に延びている、請求項１に記載の拘束デバイス。
【請求項４】
前記歯の第３のセットが、２つの列で長手方向に延びており、前記歯の第４のセットが、前記２つの列の間に位置している、請求項１に記載の拘束デバイス。
【請求項５】
前記歯の第１のセットが、２つの列で長手方向に延びている、請求項１に記載の拘束デバイス。
【請求項６】
前記歯の第２のセットが、前記２つの列の間に位置している、請求項５に記載の拘束デバイス。
【請求項７】
前記バネが第１のバネであり、
前記ハウジング内に収容されたリールであって、前記リールがケーブルを保持しており、前記リールが、歯の第５のセットを保持している、前記リールと、
前記ハウジング内に収容され、前記バーと係合している第２のバネと、
前記ハウジング内の第３のバネと、
前記ハウジング内に収容されたピボットであって、それにより、前記ピボットが、第１の位置と第２の位置との間で回転するようになっており、前記ピボットが、第１の延長部、第２の延長部、及び第３の延長部を保持している、前記ピボットと、をさらに備え、
前記第１の延長部が、前記ピボットが前記第１の位置にある場合に、前記歯の第１のセットが前記歯の第３のセットと係合し、前記第２の延長部が前記歯の第５のセットの少なくとも１つの歯と係合することから、前記歯の第３のセットの少なくとも１つの歯と係合し、前記第１の延長部が、前記ピボットが前記第２の位置にある場合に、前記歯の第１のセットが前記歯の第３のセットとの係合を回避し、前記第２の延長部が前記歯の第５のセットとの係合を回避することから、前記歯の第３のセットとの係合を回避し、前記第３のバネが、前記第３の延長部と係合する、請求項１に記載のデバイス。
【請求項８】
前記ハウジングに取り付けられたスリーブをさらに備えている、請求項１に記載の拘束デバイス。
【請求項９】
前記スリーブが、砂時計形状である、請求項８に記載の拘束デバイス。
【請求項１０】
前記スリーブが可撓性を有している、請求項８に記載のデバイス。
【外国語明細書】
2020118021000001.pdf